(57)【要約】拡張状態と非拡張状態との間で移動するように適合される実質的に固体で変形可能なブーツ（１）と、該ブーツ（１）の中にまたそこから移動するように適合された賦形プランジャ（２）とを備え、加圧された液体または流体の供給管内に取り付けて、閉塞するためのパイプライン隔離装置であって、ブーツ（１）が、前記プランジャ（２）を受容しかつそれと協働するように適合された変位輪郭（６）を有する中空内部（３）を備え、プランジャ（２）がブーツ（１）の前記中空内部（３）内に挿入されるときの前記拡張状態と、前記プランジャ（２）がブーツ（１）の内部（３）から引き抜かれるときの前記非拡張状態との間で、前記ブーツ（１）を移動させるようにする。
2004530083.tif 000002
【特許請求の範囲】
【請求項１】
拡張状態と非拡張状態との間で移動するように適合される実質的に固体で変形可能なブーツと、該ブーツの中にまたブーツ中から外へ移動するように適合された賦形プランジャと、を備え、加圧された液体または流体の供給管内に取り付けて、それを閉塞するために適合されたパイプライン隔離装置であって、前記ブーツは、前記プランジャを受容しかつそれと協働するように適合された変位輪郭を有する前記中空内部を備え、前記プランジャが前記ブーツの中空内部内に挿入されるときの前記拡張状態と、前記プランジャが前記ブーツの内部から引き抜かれるときの前記非拡張状態と、の間で前記ブーツを移動させるようにするパイプライン隔離装置。
【請求項２】
前記拡張状態にあるときに前記ブーツの外側輪郭が前記供給管の内部形状を実質的に反映するように前記ブーツの内部の変位輪郭が構成されている請求項１に記載のパイプライン隔離装置。
【請求項３】
前記ブーツの中へまたブーツ中から外へ前記プランジャの軸方向運動を案内するように、かつ前記圧力下の前記ブーツの撓みを最小にするように適合された１つまたは複数の案内ロッドが、前記ブーツに設けられている請求項１または請求項２に記載のパイプライン隔離装置。
【請求項４】
スリーブに沿った前記プランジャの運動が前記ブーツの中にまたブーツの中から外へ前記プランジャを案内するように、前記プランジャは、前記ブーツに嵌合された前記スリーブに収容される請求項１から請求項３のいずれかに記載のパイプライン隔離装置。
【請求項５】
前記プランジャが、その遠隔作動のためにそれに嵌合された操作ラムを有する請求項１から請求項４のいずれかに記載のパイプライン隔離装置。
【請求項６】
前記操作ラムを収容かつ案内するための延長チューブが、前記スリーブに設けられる請求項５に記載のパイプライン隔離装置。
【請求項７】
前記パイプライン内の前記装置の位置を遠隔識別するための深度検出手段を含む請求項１から請求項６のいずれかに記載のパイプライン隔離装置。
【請求項８】
前記液体または流体の供給管に嵌合するために適合されたジグを備え、該ジグが第１および第２のクラッチ手段を含み、前記第１のクラッチ手段は該ジグに嵌合するとともに、前記装置のスリーブまたは延長チューブと係合し、第２のクラッチ手段は、前記装置のスリーブまたは延長チューブに係合し、前記第２のクラッチが前記ジグに嵌合されかつ前記第１のクラッチ手段に対して軸方向に移動可能であり、それぞれのクラッチの交互係合およびそれらの協働軸方向運動が、前記液体または流体の供給管の中へのまたは供給管の中から外へ前記装置を取り付けまたは引き抜きするようにする請求項１から請求項７のいずれかに記載の取付および操作工具。
【請求項９】
主水供給管に関連する消火栓または消火栓プラグの水道栓立上がりに嵌合するために適合され、前記ジグが、第１および第２のクラッチ手段を含むジグを含み、前記第１のクラッチ手段が前記ジグに嵌合され、かつ前記装置のスリーブまたは延長チューブと、前記装置のスリーブまたは延長チューブに係合するように適合された第２のクラッチ手段とに係合するように適合され、前記第２のクラッチが前記ジグに嵌合され、かつ前記第１のクラッチ手段に対して軸方向に移動可能であり、それぞれのクラッチの交互係合およびそれらの協働軸方向運動が、前記水道栓立上がり内の主水圧に対抗して前記水道栓立上がりを通した前記装置の取付けまたは引き抜きを可能にするようにする請求項８に記載の工具。
【請求項１０】
前記水道栓立上がりに嵌合するために適合された細長いハウジングを含み、該ハウジングが、前記第１および第２のクラッチの協働により該ハウジングに沿って移動できる前記装置を同軸に収容する請求項９に記載の工具。
【請求項１１】
適切な位置の前記プラグを拡張するように前記装置の操作ラムを作動するための手段をさらに含む、請求項９または請求項１０に記載の工具。
【請求項１２】
前記作動手段が、前記装置のブーツの中におよび／またはそこから前記プランジャを移動することによって前記装置のプランジャを作動するように適合されたプレスを含む請求項１１に記載の工具。
【請求項１３】
前記プレスが１対の折畳み延長アームを含み、該アームが、前記第２のクラッチの領域の第１の端部に枢着され、かつ該アームの第２の端部にプレス手段が設けられ、前記装置内に前記ラムをプレスするかあるいは前記装置から前記ラムを引っ張って前記プランジャを操作するように前記プレスを上方に枢着して前記装置の操作ラムの頂部に係合できるようにする請求項１２に記載の工具。
【請求項１４】
前記プレス手段がネジ操作式ハンドルを含む請求項１３に記載の工具。
【請求項１５】
実質的に、図面を参照して本明細書に前述したように、請求項１から請求項７のいずれかに記載のパイプライン隔離装置。
【請求項１６】
実質的に、図面を参照して本明細書に前述したように、請求項８から請求項１４のいずれかに記載の取付および操作工具。
【発明の詳細な説明】
【技術分野】
【０００１】
本発明は、流体または液体を搬送する配管のメンテナンス、特に、このような配管の一部分を隔離して、メンテナンス作業を支援するのに適した装置に関する。特に、本発明は、都市供給主水道配管を含む水道配管のメンテナンスに好適である。
【背景技術】
【０００２】
産業または家庭のいずれかへの配管を介した流体または液体の商業供給は、一般に、産業または国内市場が依拠する商品の供給に関連する。したがって、このような配管に関連するメンテナンス作業は、流体または液体の商業供給に対して著しい混乱を招く可能性があり、このようなメンテナンス作業を早め、これによって、前記商業供給に対する中断および休止時間を最小にすることが非常に望ましい。このような配管システムの例としてはは、貯水槽からポンプと地中配管のネットワークとを介して家庭および軽工業に飲料水を提供する都市の主水供給がある。
【０００３】
前記配管は、郊外道路の下方またそれに沿って、家庭のそばを通過して敷設されており、直径約１００ｍｍの道路主水道管に終端する寸法が小さくなる複数の家庭が個々接続できる管の分岐ネットワークとして一般に構成される。
【０００４】
道路レベルにおいて、主水道配管には、一部分を隔離し配管のメンテナンスを可能にするように、１キロメートル程度毎の一定間隔で、閉鎖可能なゲートが複数設けられている。しかし、この複数のゲートは、約５０軒程度までの家庭に影響を及ぼし得る比較的大きな面積の隔離を可能にするに過ぎない。したがって、著しいメンテナンスが必要とされる状態では、このような多数の家庭に対する中断は重大になり得ることがあり、健康上の問題をはらむ可能性がある。
【０００５】
一方、家庭用水の供給のための主水道配管は、消火栓または消火栓プラグによって供給される非常用水のためにも機能しており、消火栓または消火栓プラグの多くは道路境界に沿って一定間隔で敷設され、また消防士による主圧水への緊急アクセスを可能にする。消火栓は、一般に、複数の消火栓アクセスポイントが主水システムの２つ以上の隔離ゲートの間に存在するように、主水供給配管に沿って一定の狭い間隔で取り付けられる。消火栓は、供給を受ける配管とのティー接合を形成する略垂直の短い立ち管を有する略水平の配管供給部に接続される。この立ち管は、通常、ゲート弁または他の形式の制御弁を介して、雄ネジ付きの管セクションのような適切な接続手段に接合される。このことは、このような消火栓アクセスポイントが、一時的な隔離ゲートとして機能することによって主水供給部を遮断するために利用し得るならば、非常に望ましいであろう。このことは、このような水道栓ポイントを使用して主水道配管のセクションを隔離し得るならば、水道栓の頻度により、主水道管メンテナンスによって影響を受ける家庭が比較的小さくて済むので、特に有利であろう。
【発明の開示】
【発明が解決しようとする課題】
【０００６】
あいにく、現在利用可能な装置は、一般に、閉塞すべき配管の直径未満の前記配管に形成されたアクセスポイントまたは開口を介して、所定の直径の流体または液体配管の容易なアクセスおよび閉塞を可能にしていない。さらに、限定圧力のみのガス流体に使用するために適合される利用可能な装置は、再利用不可能であるか、水道栓アクセスポイントに接続して使用できない。垂直の水圧に対抗して主水道管内に挿入するために適合されたこのような装置の提供は、特に、このような装置が、開口を通した挿入および前記開口よりも２サイズ以上大きな管の引き続く閉塞を可能にし得るならば、著しく有利であり、当然、主水道配管用のアクセスポイントとしての消火栓の使用を可能にするであろう。
【課題を解決するための手段】
【０００７】
本発明は、拡張状態と非拡張状態との間で移動するように適合される実質的に固体で変形可能なブーツと、該ブーツの中にまたそこから移動するように適合された賦形プランジャと、を備え、加圧された液体または流体の供給管内に取り付けて、それを閉塞するために適合されたパイプライン隔離装置であって、前記ブーツが、前記プランジャを受容しかつそれと協働するように適合された変位輪郭を有する前記中空内部を備え、前記プランジャが前記ブーツの中空内部内に挿入されるときの前記拡張状態と、前記プランジャが前記ブーツの内部から引き抜かれるときの前記非拡張状態との間で、前記ブーツを移動させるようにする。
【０００８】
前記拡張状態にあるときに前記ブーツの外側輪郭が前記供給管の内部形状を実質的に反映するように前記ブーツの内部の変位輪郭が構成されることが好ましい。
【０００９】
配管システム内の主水圧の存在の故に、ブーツが不都合に歪められないかあるいは変形されないことを保証するために、ブーツの中空内部が空のままである間にブーツの構造全体を保持するように適合される１つまたは複数の案内ロッドをブーツに設けることが好ましい。同様に、案内ロッドは、プランジャの軸方向運動を外側ブーツ内に案内するように適合され、これによって、ブーツの最も望ましい形状および構造の維持が支援され、かつプランジャとの制御された協働が可能になる。
【００１０】
プランジャは、ブーツに嵌合できるスリーブ内に収容することが可能であり、スリーブに沿ったプランジャの運動がブーツの中へのまたそこからのプランジャの案内を支援するようにする。プランジャには、プランジャの遠隔作動を可能にするように延長ロッドの形態の操作ラムを設けることが可能である。
【００１１】
プランジャが嵌合されるスリーブには、操作ラムを収容かつ案内して、スリーブの遠隔制御を可能にするための延長チューブを設けることが可能である。
【００１２】
本発明のパイプライン隔離装置にも、取り付け中に装置の位置を遠隔識別しかつ中継するためのセンサの形態の深度検出手段を設けることが可能である。
【００１３】
他の態様において、本発明は、前述のような本発明の装置に使用するための取付および操作工具を提供する。取付および操作工具は、液体または流体の供給管に、特に液体供給管が主水供給部である場合に消火栓出口に嵌合するために適合されるジグを備える。ジグは第１および第２のクラッチ手段を含むことが可能であり、第１のクラッチ手段は、ジグに嵌合され、かつ装置のスリーブまたは延長チューブに係合するように適合される。第２のクラッチ手段が用意され、かつ装置のスリーブまたは延長チューブに係合するように適合され、第２のクラッチはジグに嵌合され、かつ第１のクラッチ手段に対して軸方向に移動可能であり、それぞれのクラッチの交互係合およびそれらの協働軸方向運動が、前記液体または流体の供給管の中へのまたはそこからの前記装置の取付けおよび引き抜きを可能にするようにする。
【００１４】
本発明の工具は、主水道管に使用するために特に適合され、このような主水システム配管に関連する消火栓または消火栓プラグに嵌合できる。本発明の工具は、液体または流体の供給管に嵌合するために適合された細長いハウジングを含むことが可能であり、また主水道管に関連する水道栓立上がりに嵌合するために適合されたハウジングの形態であることが最も好ましく、ハウジングは、第１および第２のクラッチの協働によりハウジングに沿って移動できる装置を同軸に収容する。
【００１５】
本発明の工具は、好ましくは、プラグが適切な位置、例えば主水道管のｔジョイントの底部に配置されていた場合にプラグを拡張するように装置の操作ラムを作動するための手段を含まなければならない。作動手段は、装置のブーツの中にまたそこからプランジャを移動することによって装置のプランジャを作動するように適合されたプレスの形態をとり得る。
【００１６】
プレスは前記第２のクラッチの領域の第１の端部に枢着された１対の折畳み延長アームを含むことが可能であり、またプレスには前記アームの第２の端部のプレス手段を設けることが可能であり、装置内にラムをプレスするかあるいは装置からラムを引っ張って前記プランジャを操作するようにプレスを上方に枢着して装置の操作ラムの頂部に係合できるようにする。
【００１７】
プレスはネジ操作式ハンドルによって操作されることが最も好ましい。
【発明の効果】
【００１８】
本発明の利点は多く、特に、配管内で利用可能な開口、またはメンテナンスを必要とする管の直径を２サイズ以上下回って形成された開口を通して配管に容易にアクセスできることが含まれる。この措置のみにより、メンテナンス効率の大きな向上が可能になるが、最も重要なことは、容易なアクセスポイント、例えば主水システムに対する消火栓アクセスが利用可能である状態において、本発明の使用が可能なことである。本発明はまた、当該の配管からの遮断が制限される任意のサイズの配管を閉鎖する手段を提供する。２つ以上のサイジングが必要とされる用途では、本発明は、例えば、多くのサイズにわたって大きな膨張を可能にする一連の折畳みユニットからアームを構成できる相補的な多数の要素を拡張アームが含む修正形態を提供できる。
【発明を実施するための最良の形態】
【００１９】
本発明の第１の態様は、主水道配管設備に特に好適に用いることができる隔離装置に関する。本発明の隔離装置は図１〜図４に詳細に示されており、これらの図には、消火栓アクセスポイントを介して主水道配管に取り付けられる拡張および非拡張状態の装置が示されている。
【００２０】
まず、図１を参照すると、本発明のパイプライン隔離装置は、しなやかで適切な弾性材料からなる実質的に固体のブーツ１を備えており、このブーツ１は中空部を有し変形可能である。このパイプライン隔離装置には、前記ブーツ１の内部キャビティ３の中にまたそこから移動するように適合された移動可能なプランジャ２が設けられている。このプランジャ２は、略円筒状の形状部４の本体とテーパ状突起領域５とから形成されている。前記ブーツの内部キャビティ３は、その変位輪郭にプランジャ２が受容され協働するように形成されており、プランジャ２がブーツ１のキャビティ３内に付勢されるときには図２に示したような拡張状態にブーツ１が歪められて移動されるようにし、ブーツ１の外側７が拡張されかつ外方に移動されて、ブーツ１が位置決めされていた主水道管８を完全に閉塞または閉鎖するようにする。
【００２１】
プランジャ２は、プランジャの延長部として機能する操作ラム９によって前後に移動され、これによって、主水道管の地下の位置からの装置の遠隔および地上操作を可能にする。プランジャ２には、ネジ付き領域１１によってブーツ１に嵌合される外側スリーブ１０が設けられる。このようにして、スリーブ１０はブーツ１の延長部として機能し、スリーブ１０内へのまたそこからのプランジャ２の軸方向運動は、ブーツ１内へのプランジャの挿入および引き抜きを可能にする。スリーブ１０には、延長チューブ１２と、同軸に位置決めされた操作ラム９との協働によって地上から装置の遠隔操作を可能にするように、延長チューブ１２が設けられる。延長チューブおよび操作ラムは、地表面の真下に概して位置決めされる水道栓ハウジング１４の中に、また地表面に概して位置決めされる水道栓立上がり１５の中に上方に延在する主管消火栓ｔジョイント１３を越えて、装置が有効に延在することを可能にする。
【００２２】
本発明のパイプライン隔離装置の操作は、特に図３と図４に詳細に示されている。最初に図３を参照すると、非拡張状態の本発明の装置は、水道栓立上がりと、水道栓ハウジングと、ブーツ１の非拡張の外側輪郭７および寸法を有する主水道管システムのｔジョイントとを通した挿入を可能にする程度に十分にコンパクトであり、ｔジョイント１３の底部１６への容易な下方への挿入を可能にする。
【００２３】
取り付け中に装置のブーツが主水圧を受けるとき、特に、ブーツが水道栓立上がりの下方に挿入されて、主水道管に沿った水の運動の特定の乱流および横方向圧力を受ける主水道管に接近するとき、ブーツが歪められないことを保証するために、コンプライアントブーツ１には、ブーツの構造の内部に形成され、かつ主水道配管の周囲で直面する水圧による撓みに耐えるように適切な剛性をブーツに付与する１対の案内ロッド１６が設けられる。プランジャが剛性案内ロッド１６の案内および方向付けの下でブーツ１の内部キャビティ３の中にまたそこから移動できるように、案内ロッド１６は、プランジャ内に形成された細長い開口１７と協働するように適合される。本発明の隔離装置には、パイプライン隔離装置の遠隔位置決めを遠隔作動によって完全に制御できかつブーツの位置決めを慎重に制御できるように、ブーツ１の下端にまたはその近くに位置決めされたセンサの形態の位置検出手段１８が設けられ、ブーツがｔジョイント１３の底部２９に当接するとブーツがｔジョイントの底部にぴったりと係合されかつ当該位置にロックできるようにする。当該位置でロックされると、プランジャをブーツ１のキャビティ内に移動することができ、これによって、主管および管の水道栓領域のいずれかの側を完全に隔離するように、キャビティが水道栓周囲の主水道管領域６およびｔジョイント１３の両方を拡張して完全に閉塞するようにする。
【００２４】
次に図４を参照すると、本発明の装置は拡張状態で示されており、この場合、ｔジョイントの底部２９に適切に位置決めされると、プランジャ２は、延長チューブ１２の下方に操作ラム９を変位することによって作動されることができ、ブーツ１の内部キャビティ３内へのプランジャ２の挿入を引き起こすようにする。ブーツ１内へのプランジャの挿入により、ブーツの外側輪郭は外方に拡張され、主水道管８およびｔジョイント１３の両方を遮断する。
【００２５】
本発明のパイプライン隔離装置を効率的に取り付けかつ操作するために、前述のような装置のための取付および操作工具が、本発明のさらなる態様として用意される。
【００２６】
最初に図５ａと図５ｂを参照すると、主水道管８に関連する水道栓立上がり１５に嵌合される取付および操作工具の上方および下方部分が示されている。
【００２７】
本発明のパイプライン隔離装置の重要な利点の１つは、主水道管の長さに沿って好便に配置された水道栓地点に本発明を取り付けることができることである。しかし、このようなアクセスポイントの利便性を最大にするために、当該の水道栓に対する主水供給部を閉鎖することなく、本発明のパイプライン隔離装置をこのような消火栓ポイントに取り付けできることが著しく望ましい。したがって、本発明の隔離装置は、このようなシステム内の主水の背圧に対抗して消火栓システムを通して取り付けるために適合され、また本発明のさらなる態様を形成する専用の取付および操作工具は、この使命を支援するように特に適合される。
【００２８】
図５ａと図５ｂを同時に参照すると、工具は、細長いハウジング１９を有するフランジ２０に終端する、水道栓立上がり１５の露出フランジに噛合かつ嵌合するように特に適合されたジグ装置の形態をとる。フランジ２０はハウジング１９の第１の端部２１に位置決めされる。ハウジング１９の第２の端部２２には、固定クラッチ２４を装着するように機能する第１のクラッチプラットフォーム２３が設けられ、固定クラッチは、工具に嵌合されていた本発明のパイプライン隔離装置のスリーブ１０または延長チューブ１２に係合または係合解除するように適合される。このようにして、固定クラッチ２４は、本発明の装置の延長チューブ、スリーブ、最終的に終端ブーツ１の軸方向運動を阻止できる。
【００２９】
消火栓の上下の装置の垂直運動を制御するために、工具には、能動クラッチ２６が嵌合される第２のクラッチプラットフォーム２５が設けられる。能動クラッチ２６は、チューブまたはスリーブの長さのさらに上方で、固定クラッチ２４の方法と同様の方法により、延長チューブ１２またはスリーブ１０に係合および係合解除するように適合される。水道栓に対する水道栓の長さに沿って装置の運動を容易にするために、第２のクラッチプラットフォーム２５は、第１のクラッチプラットフォーム２３に対して軸方向に移動可能であり、伸縮アーム２７によって第１のクラッチプラットフォームに接続される。伸縮アームは、第１のクラッチプラットフォーム２３に嵌合された第１の油圧ラム２８に嵌合された油圧ラムによって操作される。このようにして、固定および能動クラッチの協働および交互操作と伸縮アームの軸方向運動は、ブーツ１が主管ｔジョイント１３の底部２９にぴったりと当接されるまで、本発明の装置が水道栓ハウジングの下方に漸次送られることを可能にする。
【００３０】
本発明のパイプライン隔離装置が消火栓を通して主管システム内に適切に取り付けられると、プランジャ２をブーツのキャビティ内に下方に引き込んで、ブーツが非拡張状態から拡張状態に移動し、これによって主管を閉塞または遮断するようにすることが必要である。
【００３１】
次に図６を参照すると、第１および第２のクラッチの操作の詳細が、本図の平面図に詳細に示された機構によって示されている。能動および固定クラッチの両方は同一の機構で操作するが、固定クラッチのみを参照する。クラッチは、ハウジング１９の第２の端部２２に装着されるクラッチプラットフォーム２３を備える（図示せず）。したがって、クラッチプラットフォームはハウジングとの基準点を形成し、アウトリガ「Ｄ」アーム３８が装着されている。このアームには、４１で枢着されるカム４０を作動する油圧ラム３９が設けられる。クラッチプラットフォームには、スリーブまたは延長チューブ１２を囲むコンプライアントロックリング４２がさらに設けられ、カム４０の選択的な操作により、ロックリングが延長チューブ１２の周りを締付け、これによって、クラッチプラットフォームに対する延長チューブの軸方向運動をロックするか、代わりに、カム４０の反転運動は、ロックリングを開いてクラッチを係合解除するように機能する。
【００３２】
プランジャの操作は、図７に詳細に示したプレス手段によって達成される。プレス手段は、枢軸３３により第１の端部３２に枢着される二重の延長アーム３１が設けられるカラー３０によって第２のクラッチプラットフォーム２５に関連付けられる。延長アームの第２の端部３４には、プレス頭部３５と、ネジ付きスクリュ３６に嵌合された回転可能なハンドル３７を有する前記ネジ付きスクリュとが設けられる。本発明のパイプライン隔離装置が工具によって適切に配置されると、プレス手段は、工具に嵌合されかつ上に揺動して操作されるように適合される。プレス手段は枢着点３３を中心に回転され、またハンドル３７が操作ラム９の露出端部と整列されるように引き上げられる。プレスが所定の位置にあり、ラムに接続されると、ハンドル３７の回転により、操作ラムはスリーブまたは延長チューブ１２の中にまたはそこから移動され、これによって、プランジャ２（図示せず）がブーツ１のキャビティの中にまたはそこから移動するようにし、これによって、ブーツ１が拡張状態と非拡張状態との間で移動するようにする。
【００３３】
使用時、本発明のパイプライン隔離装置は、主水道配管または同様の供給システムの短い間隔に、メンテナンスまたはオーバホールのための隔離が必要とされる箇所で使用されるであろう。主水道配管の場合、識別されるパイプラインの当該セクションは、そのいずれかの側の消火栓アクセスポイントを介して閉鎖されるであろう。消火栓は識別され、また自動遮断バルブ装置が装着される消火栓の場合、消火栓は取り外され、また露出した水道栓立上がりに取り付けられた適切なゲート工具は、水道栓弁が取り外されると主水圧の閉鎖を容易にするように所定の位置に配置される。水道栓弁の取り外しは同時係属中のオーストラリア特許出願第１９９８９３２２５号に記述されており、この開示は参考として本明細書に組み込まれている。図５ａと図５ｂを主に参照すると、ばね水道栓弁が取り外されると、一時的または中間ゲート４４を閉鎖して主水圧を保持でき、また本発明の取付および操作工具は、図５ｂに示したような中間ゲート４４に嵌合される。取付工具が、中間ゲートを介して噛合フランジ２０を水道栓立上がりにボルト締めすることによって嵌合されると、本発明のパイプライン隔離装置は、能動および固定クラッチロックリングを通して、頂部シール４５を介して細長いハウジング１９内に下方に送られる。本発明のパイプライン隔離装置がハウジングの長さの下方に中間ゲート４４の領域に前進されると、中間ゲートを開くことができ、水道栓および主水道管８の長さに沿って存在する主水圧にハウジング１９の内部をさらす。シール４５によってハウジングからの水の漏れが防止され、またこの段階において、ハウジング１９および水道栓ハウジング内の蛇口主水圧に対抗して本発明の装置のさらなる挿入を行わなければならない。装置の挿入を進め、またそれまで取り付けられていた装置が工具から押し戻されることを防止するために、固定クラッチ２４が係合され、ハウジング１９からの軸方向運動に対して延長チューブ１２がロックされることを保証する。次のステップは、伸縮アーム２７の延長部によって遠隔位置に移動されていた能動クラッチ２６に係合することを含む。能動クラッチが延長チューブ１２のさらに上方の位置に係合されると、固定クラッチ２４を係合解除でき、これによって、伸縮アーム２７の引き込みは、ハウジング１９の長さの下方で本発明の延長チューブおよび装置の漸進的挿入を引き起こす。装置の挿入は、伸縮アームの伸びが制限されるので多数のステップを一般に必要とする。伸縮アームが完全に収納されると、固定クラッチ２４は再び係合され、次にそこから能動クラッチを係合解除でき、本発明の装置が主水圧に対抗して後方に移動しないことを保証する。次に、伸縮アームは後方に移動して出て、クラッチプラットフォーム２５および能動クラッチ２６を延長チューブ１２の長さのさらに上方の新しい位置に持ち上げることができる。この段階において、能動クラッチは延長チューブ１２の次の位置に再び係合し、また固定クラッチの解放および伸縮アームの収納によって、本発明の延長チューブ１２および装置は水道栓ハウジングの下方にさらに前進される。本発明の装置は、ｔジョイント２９の底部にブーツ１が到達するまで、上述の方法で段階的に前進される。この点において、位置検出手段またはセンサ１８はブーツの位置を操作者に連絡し、装置のさらなる挿入が停止される。その点において、ブーツがｔジョイントの底部をぴったりと支承することにより、本発明の装置の位置を固定し、プランジャの作動を開始することができる。プランジャは、延長チューブ１２の頂端を越えて外方に突出する操作ラム９によって装置の長さの下方に移動される。操作ラムは、図７に詳細に示したような能動クラッチに嵌合される前述のようなプレス手段によってアクセス可能である。この段階において、ハンドル３７を回して下げて、プランジャ２をブーツ１のキャビティ３内に下方に漸次引き込むことができ、これによって、ブーツは非拡張状態から拡張状態に移動され、これによって、主水道管８および管の水道栓領域を閉塞する。これによって、この動作は、それぞれの水道栓ポイントの主水道管を閉塞または遮断するように機能し、これによって、最小の中断かつ最小の時間で主管の当該セクションを隔離する。様々な油圧ラムの動作およびクラッチの移動のすべてを協働させかつコンピュータ制御して操作上のエラーを最小にでき、また本発明のジグには、最小の運転スキルによる最も効率的な操作の達成を可能にするために、必要な油圧ハウジングおよび取付け具を設けることができる。
【００３４】
使用時、本発明は、流体または液体搬送管が遮断および隔離を必要とする、特に、主管の直径よりも小さな開口が利用可能である実質的に任意の状態において、用途を確認している。主水メンテナンス状態の場合、メンテナンスを必要とする主水道配管の領域が識別され、消火栓が設けられたいずれかの側のセクションが閉鎖され、本発明の隔離装置は消火栓の下方に取り付けられる。
【００３５】
大まかに記述したような本発明の精神と範囲から逸脱することなく、特定の実施態様に示したような本発明に対し、多数の変更および／または修正を行い得ることが当業者によって理解されるであろう。したがって、本実施態様は、あらゆる点において例示目的かつ非限定的なものとして考慮すべきである。
【図面の簡単な説明】
【００３６】
【図１】主水道管に取り付けられたパイプライン隔離装置の断面側面図である。
【図２】主水道管を閉鎖または閉塞するように作動されるようなパイプライン隔離装置を示している。
【図３】非拡張状態の主水道管に取り付けられるようなパイプライン隔離装置の端面図である。
【図４】主水道管を遮断するための拡張状態のパイプライン隔離装置の端面図である。
【図５Ａ】本発明の装置に使用するための取付および操作工具の上方部分の部分正面図である。
【図５Ｂ】主水道管水道栓立上がりに嵌合されるような取付および操作工具の下方部分の部分正面図である。
【図６】取付および操作工具のクラッチ細部の平面図である。
【図７】取付および操作工具プレスの正面図である。
【符号の説明】
【００３７】
１  ブーツ
２  プランジャ
３  キャビティ
４  プランジャ本体
５  プランジャ突起部
６  変位輪郭
７  外側（ブーツ）
８  主水道管
９  操作ラム
１０  スリーブ
１１  ネジ山
１２  延長チューブ
１３  ティージョイント
１４  水道栓ハウジング
１５  水道栓立上がり
１６  案内ロッド
１７  開口（プランジャ）
１８  位置センサ
１９  ハウジング
２０  フランジ（ハウジング）
２１  第１の端部（ハウジング）
２２  第２の端部（ハウジング）
２３  第１のクラッチプラットフォーム
２４  固定クラッチ
２５  第２のクラッチプラットフォーム
２６  能動クラッチ
２７  テレスコープアーム
２８  油圧ラム
２９  ティージョイントの底部
３０  カラー
３１  延長アーム
３２  第１の端部（延長アーム）
３３  枢軸
３４  第２の端部（延長アーム）
３５  プレス
３６  ネジ
３７  ハンドル
３８  「Ｄ」アーム
３９  ラム
４０  カム
４１  枢軸
４２  ロックリング
４３  案内ピン
４４  中間ゲート
４５  シール
【図１】
2004530083.tif 000003
【図２】
2004530083.tif 000004
【図３】
2004530083.tif 000005
【図４】
2004530083.tif 000006
【図５Ａ】
2004530083.tif 000007
【図５Ｂ】
2004530083.tif 000008
【図６】
2004530083.tif 000009
【図７】
2004530083.tif 000010
【国際公開パンフレット】
2004530083.tif 000011
2004530083.tif 000012
2004530083.tif 000013
2004530083.tif 000014
2004530083.tif 000015
2004530083.tif 000016
2004530083.tif 000017
2004530083.tif 000018
2004530083.tif 000019
2004530083.tif 000020
2004530083.tif 000021
2004530083.tif 000022
2004530083.tif 000023
2004530083.tif 000024
2004530083.tif 000025
2004530083.tif 000026
2004530083.tif 000027
2004530083.tif 000028
2004530083.tif 000029
2004530083.tif 000030
2004530083.tif 000031
2004530083.tif 000032
2004530083.tif 000033
2004530083.tif 000034
【国際調査報告】
2004530083.tif 000035
2004530083.tif 000036
2004530083.tif 000037